(57)【要約】【課題】  観察者にとって違和感なく眼底像の立体視を行うことができる【解決手段】  予め撮影された左右一対のステレオ眼底画像を表示する画像表示部を持ち、該画像表示部に表示された左右一対のステレオ眼底画像を見る観察者の両眼視差を利用して眼底像を立体視させる立体眼底画像表示装置において、観察者の瞳孔間距離に相当する間隔にて配置される一対の観察窓と、該観察窓を介して前記眼底画像を見る際の観察眼の輻輳角を前記左右一対のステレオ眼底画像の取得時における異なる左右の撮影光軸間の輻輳角と略一致させるために前記眼底像を観察眼に対して前後方向に移動させる眼底画像移動手段と、を備える。【選択図】      図１
2006271740.tif 000002
【特許請求の範囲】
【請求項１】
予め撮影された左右一対のステレオ眼底画像を表示する画像表示部を持ち、該画像表示部に表示された左右一対のステレオ眼底画像を見る観察者の両眼視差を利用して眼底像を立体視させる立体眼底画像表示装置において、観察者の瞳孔間距離に相当する間隔にて配置される一対の観察窓と、該観察窓を介して前記眼底画像を見る際の観察眼の輻輳角を前記左右一対のステレオ眼底画像の取得時における異なる左右の撮影光軸間の輻輳角と略一致させるために前記眼底像を観察眼に対して前後方向に移動させる眼底画像移動手段と、を備えることを特徴とする立体眼底画像表示装置。
【請求項２】
請求項１の立体眼底画像表示装置において、さらに被検眼の眼軸長の長さを入力する眼軸長入力手段を備え、眼軸長入力手段によって入力された被検眼の眼軸長の長さを考慮して前記眼底画像移動手段による前記眼底画像の移動制御を行う制御手段を備えることを特徴とする立体眼底画像表示装置。
【請求項３】
請求項１の立体眼底画像表示装置は、さらに観察者の眼前または左右の観察光路上に配置され，開閉動作により前記画像表示部に表示される前記眼底画像を左右の観察眼にて交互に見させるためのシャッタ手段を有し、さらに該シャッタ手段は前記画像表示部による同一画面上における右眼用及び左眼用の前記眼底画像を所定の周期で交互に表示する表示制御に連動して開閉動作することを特徴とする立体眼底画像表示装置。
【請求項４】
請求項３の立体眼底画像表示装置において、前記シャッタ手段を前記一対の観察窓に設けたことを特徴とする立体眼底画像表示装置。
【請求項５】
請求項１の立体眼底画像表示装置は、被検眼の眼底位置から瞳位置までの距離と観察者によって立体視される眼底像から観察眼までの距離との距離比と、予め撮影される眼底の実物体の大きさと観察者によって立体視される眼底像の大きさとの比とがほぼ等しい関係となるように、前記画像表示部に左右一対のステレオ眼底画像を表示することを特徴とする立体眼底画像表示装置。
【発明の詳細な説明】
【技術分野】
【０００１】
本発明は、被検眼眼底の立体画像を表示する表示装置に関する。
【背景技術】
【０００２】
従来、眼底カメラ（例えば、同時立体眼底カメラ）で撮影された画像を元に眼底像を立体的に観察するような場合、ステレオビュアーや立体眼底像表示装置が利用されている（特許文献１参照）。
【特許文献１】特開平７−３２３０１２号公報
【発明の開示】
【発明が解決しようとする課題】
【０００３】
しかしながら、このような装置は、適正な条件で使用しないと、奥行き感が変化したり、観察しているうちに気分を悪くすることがある。例えば、撮影（観察）したときの輻輳角と、立体画像表示装置等で観察するときの輻輳角が異なるような場合には、このような問題が起こり得る。また、眼底カメラで被検眼を撮影する場合、被検眼の眼軸長等の違いによって撮影条件が異なるため、これらも考慮する必要がある。
【０００４】
本発明は、上記問題点を鑑み、観察者にとって違和感なく眼底像の立体視を行うことができる立体眼底像表示装置を提供することを技術課題とする。
【課題を解決するための手段】
【０００５】
上記課題を解決するために、本発明は以下のような構成を備えることを特徴とする。
【０００６】
（１）  予め撮影された左右一対のステレオ眼底画像を表示する画像表示部を持ち、該画像表示部に表示された左右一対のステレオ眼底画像を見る観察者の両眼視差を利用して眼底像を立体視させる立体眼底画像表示装置において、観察者の瞳孔間距離に相当する間隔にて配置される一対の観察窓と、該観察窓を介して前記眼底画像を見る際の観察眼の輻輳角を前記左右一対のステレオ眼底画像の取得時における異なる左右の撮影光軸間の輻輳角と略一致させるために前記眼底像を観察眼に対して前後方向に移動させる眼底画像移動手段と、を備えることを特徴とする。
（２）  （１）の立体眼底画像表示装置において、さらに被検眼の眼軸長の長さを入力する眼軸長入力手段を備え、眼軸長入力手段によって入力された被検眼の眼軸長の長さを考慮して前記眼底画像移動手段による前記眼底画像の移動制御を行う制御手段を備えることを特徴とする。
（３）  （１）の立体眼底画像表示装置は、さらに観察者の眼前または左右の観察光路上に配置され，開閉動作により前記画像表示部に表示される前記眼底画像を左右の観察眼にて交互に見させるためのシャッタ手段を有し、さらに該シャッタ手段は前記画像表示部による同一画面上における右眼用及び左眼用の前記眼底画像を所定の周期で交互に表示する表示制御に連動して開閉動作することを特徴とする。
（４）  （３）の立体眼底画像表示装置において、前記シャッタ手段を前記一対の観察窓に設けたことを特徴とする。
（５）  （１）の立体眼底画像表示装置は、被検眼の眼底位置から瞳位置までの距離と観察者によって立体視される眼底像から観察眼までの距離との距離比と、予め撮影される眼底の実物体の大きさと観察者によって立体視される眼底像の大きさとの比とがほぼ等しい関係となるように、前記画像表示部に左右一対のステレオ眼底画像を表示することを特徴とする。
【発明の効果】
【０００７】
本発明によれば、観察者にとって違和感なく眼底像の立体視を行うことができる。
【発明を実施するための最良の形態】
【０００８】
本発明の実施形態を図面に基づいて説明する。図１は、本実施形態に係る立体眼底画像表示装置を示す図である。
【０００９】
１は観察者の両眼視差を利用して眼底像を立体視させるための眼底像を表示する立体眼底画像表示装置（以下、表示装置１と省略する）本体である。表示装置１には、後述する画像表示部３を観察者が見るための観察窓（覗き窓）２（２ａは右眼用、２ｂは左眼用）が設けられており、右眼用窓２ａと左眼用窓２ｂは、観察者の瞳孔間距離に相当する間隔で一対に配置されている。なお、被検者の顔は、装置に設けられた図示無き顔固定部（例えば、額当て）によって固定されるようになっている。立体眼底画像を表示するための画像表示部３は、制御部２０による画像制御により後述する同時立体眼底カメラ３０で予め撮影された右眼用及び左眼用の眼底画像を所定の周期で交互に表示できる構成となっている。９は、観察窓２を介して眼底画像を見る観察眼に対して、眼底画像を前後方向に移動させるための駆動機構であり、駆動機構９の駆動により眼底画像を見る際の観察眼の輻輳角を調節できるようになっている。
【００１０】
４は画像表示部３によって表示された画像を立体観察するために用いられる液晶シャッタメガネであり、観察者の顔に装着される。液晶シャッタメガネ４は、開閉動作により画像表示部３に表示される眼底画像を左右の観察眼にて交互に見させるためのシャッタ部５（５ａは右眼用、５ｂは左眼用）を持つと共に、シャッタ５を開閉させるためのシャッタ駆動回路６を持つ。これにより、制御部２０に接続された赤外線送信機２１からのシャッタ開閉の信号によって左右のシャッタ部５の開閉を電気的に制御できるようになっている。
なお、本実施形態においては、シャッタ部５は、画像表示部３による同一画面上における右眼用及び左眼用の眼底画像を所定の周期で交互に表示する表示制御に連動して開閉動作するようになっている。すなわち、画像表示部３に右眼用の画像が表示されているときは、右眼用シャッタ５ａを開放し（左眼用シャッタ５ｂは遮蔽）、画像表示部３に左眼用の画像が表示されているときは、左眼用シャッタ５ａを開放する（右眼用シャッタ５ａは遮蔽）。
【００１１】
同時立体眼底カメラ３０は、眼底撮影用の撮像素子を持つデジタルカメラであり、立体眼底画像の観察に用いる左右一対のステレオ眼底画像を同時に撮影するための撮影光学系を有する（図２参照）。また、同時立体眼底カメラ３０は、操作者が眼底像を立体的に観察するための立体観察光学系を有し、撮影光学系によって撮影される撮影像と同等の立体眼底像が観察できるようになっている。また、同時立体眼底カメラ３０は、制御部２０と接続されており、左右の撮影画像や撮影時の撮影条件（例えば、フォーカスの位置）を表示装置１に送信できるような構成となっている。５０は被検眼の眼軸長を測定可能な眼軸長測定装置であり、該装置により測定された被検眼の眼軸長データは制御部２０へと入力されるようになっている。２２は制御部２０に接続されたメモリであり、メモリ２２には立体眼底カメラ３０から送信された眼底画像や撮影時の撮影条件及び撮影された被検眼の各種検査データ（例えば、眼軸長）が記憶される。なお、本実施形態においては、表示装置１と立体眼底カメラ３０とを接続するような構成としたが、周知の記憶媒体やインターネット等の通信回線を通じて眼底画像等のデータをやりとりするような構成としてもよい。
【００１２】
図２は、同時立体眼底カメラ３０の撮像光学系の構成を示す概略光学図である。３１は対物レンズであり、３２はステレオ観察および撮影するために光束を左右に二分する２孔絞りである。３３、３４は光束分離プリズムであり、プリズム３３は二分された光束の左右を入れ替え、ステレオ画像が逆立体となるのを防ぎ、プリズム３４は光束を所定の間隔で平行に据え置く。３５はリレーレンズ、３６は光軸方向に移動可能なフォーカシングレンズで、被検者の屈折力に合わせた調整を可能とする。
【００１３】
３７は結像レンズであり、眼底像を偏角プリズム３９の近傍に一且結像する。３８は２回の反斜面をもつ整合プリズムであり、光束分離プリズム３３以降の光学系にリレーされた左右光束の光軸間距離を狭める方向に変位させる。左右の光束は、偏角プリズム３９および第２の結像レンズ４０により、眼底像を光電撮像素子４１上に近接して形成する。光電撮像素子４１としては、ＣＣＤ等の撮像素子が使用される。
【００１４】
上記の撮影光学系において、被検眼の眼底での反射光は被検眼および対物レンズ３１により倒立の中間像をＣ点で結んだ後、２孔絞り３２で光束を分離される。この２孔絞り３２は対物レンズ３１を介して被検眼瞳孔位置と共役になるよう配置されているので、瞳孔上でステレオ用に左右に二分された光束がＣ点で合致し再び分離することになり、撮影用の光束の大きさは事実上瞳孔面上で決定される。すなわち、同時立体眼底カメラ３０によって立体像を撮影する際の輻輳角は、瞳孔面上に形成された２孔絞り３２の像３２‘の二つの孔の間隔によって決定される（図３（ａ）参照）。
【００１５】
図３（ａ）は、同時立体眼底カメラ３０で所定の眼軸長（例えば、眼底から瞳位置までの距離が２０．６ｍｍ）を持つ被検眼を撮影したときの、瞳孔面上に形成された２孔絞り３２の像３２‘と被検眼網膜との位置関係を示す図である。なお、２孔絞り像３２’において、右孔３２Ｒ‘では、観察者の右眼用の眼底画像を撮像するための撮影光束が通過し、左孔３２Ｌ‘は、観察者の左眼用の眼底画像を撮像するための撮影光束が通過する。また、図３（ｂ）は、図３（ａ）で示した位置関係を表示装置１で再現したときの配置構成を示す図である。
【００１６】
このように撮影時の位置関係を表示装置１で再現する場合には、図３（ａ）に示すような２孔絞り像３２‘と被検眼網膜との位置関係と、画像表示部３と観察眼との位置関係が相似な関係となるような配置構成とすればよい。例えば、網膜から２孔絞り像３２’までの距離が約２０．６ｍｍ、輻輳角が約６．９°、２孔絞り像３２‘における２つの孔の間隔が２．５ｍｍであった場合、表示装置１の配置構成を輻輳角６．９°、画像表示部３から観察眼までの距離が約５４０ｍｍとなるような配置構成になるようにすればよい（なお、観察者の瞳孔間距離が約６４ｍｍの場合を想定）。
【００１７】
また、図４（ａ）は、図３（ａ）の被検眼よりも眼軸長の長い被検眼を同時立体カメラ３０で撮影したときの２孔絞り像３２‘と被検眼網膜との位置関係を示す図である。このとき、２孔絞り像３２’と網膜までの距離が遠くなるため、被検眼網膜に対する２孔絞り像３２‘の右孔３２Ｒ’と左孔３２Ｌ‘の輻輳角が小さくなる。ここで、撮影時の位置関係を表示装置１で再現する場合には、図４（ｂ）のように、図２（ｂ）のときの画像表示部３の位置よりも、画像表示部３を観察眼から遠ざけるような配置構成とすればよい。なお、眼軸長が長いほど、画像表示部３と観察眼との距離を長く（大きく）する。
【００１８】
一方、図５（ａ）は、図３（ａ）の被検眼よりも眼軸長の短い被検眼を同時立体カメラ３０で撮影したときの２孔絞り像３２‘と被検眼網膜との位置関係を示す図である。このとき、２孔絞り像３２’と網膜までの距離が近くなるため、被検眼網膜に対する２孔絞り像３２‘の右孔３２Ｒ’と左孔３２Ｌ‘の輻輳角が大きくなる。ここで、撮影時の位置関係を表示装置１で再現する場合には、図５（ｂ）のように、図２（ｂ）のときの画像表示部３の位置よりも、画像表示部３を観察眼から近づけるような配置構成とすればよい。
【００１９】
以上示したように、被検眼の眼軸長の長さを考慮して画像表示部３と観察眼との距離を調整することにより、撮影時の輻輳角（左右一対のステレオ画像の取得時における異なる左右の撮影光軸間の輻輳角）と観察時の輻輳角を略一致させることができるとともに、画像表示部３を見る観察眼の輻輳位置と立体像が現れる位置との間のずれがなくなる。これにより、観察者は、同時立体眼底カメラ３０での被検眼眼底を撮影したときに近い状態で立体眼底画像を観察することができる。この場合、被検者ごとに異なる眼軸長の長さに応じて、画像表示部３の適正な位置を予めメモリ２２を記憶させておき、その後、入力された眼軸長の長さに応じて駆動機構９により画像表示部３の位置を移動させるような構成とすればよい。
【００２０】
以上のような構成を備える装置において、その動作について簡単に説明する。制御部２０は、メモリ２２に記憶された撮影画像及び撮影時の撮影条件（２孔絞り像３２‘の孔の間隔、フォーカシングレンズ３６の位置など）、被検眼の各種検査データ（眼軸長など）に基づいて、画像表示部３に立体観察用の眼底画像を表示すると共に、表示装置１の配置構成を調整する。また、撮影された被検眼の眼軸長の長さに基づいて、制御部２０は、駆動機構９を駆動させて画像表示部３を前後方向に移動させる（図３、図４、図５参照）。これにより、撮影された被検眼の眼軸長に合わせて画像表示部３に表示される立体眼底像に対する観察眼の輻輳角が調整されるため、観察者は、撮影された被検眼の眼軸長の違いに関わらず、同時立体眼底カメラ３０で被検眼眼底を撮影したときに近い状態で立体眼底画像を観察することができる。
【００２１】
以上のような構成とすれば、撮影された被検眼の眼軸長の違いに関わらず、観察者に対して撮影時に近い状態で立体眼底画像を表示することができるため、観察者にとって違和感なく立体視を行うことができる。これにより、観察者は眼底診断を容易に行うことができる。本実施形態の同時立体眼底カメラ３０は、前述のように撮影光学系によって撮影される撮影像と同等の立体眼底像が観察できるような観察光学系を有するため、同時立体眼底カメラ３０における観察時に近い状態で立体眼底像を表示することができるともいえる。
【００２２】
なお、画像表示部３による立体眼底像の表示において、被検眼の眼底位置から瞳位置までの距離と観察者によって立体視される眼底像から観察眼までの距離との距離比と、予め撮影される眼底の実物体の大きさと観察者によって立体視される眼底像の大きさとの比とがほぼ等しい関係となるように、画像表示部３に左右一対のステレオ眼底画像を表示することにより、眼底の凹凸をより正確に表現した立体眼底像を表示することができる。このようにすれば、観察者は正確な奥行き感を感じることができるため、的確な診断を行うことが可能となる。
【００２３】
また、本実施形態の画像表示部３のように同一位置に左右の眼底画像を交互に表示するような構成とすれば、画像表示部３上に立体眼底像が見えるようになるため、画像表示部３の表示位置と奥行き知覚との間のずれがなくなり、より自然視に近い立体眼底像を観察することが可能となる。さらに、図３などに示すように立体眼底像の乳頭の陥凹の縁Ｃの部分が画像表示部３の表示面にくるようにすると、網膜周辺部と乳頭陥凹との間の立体感が感じやすくなり、観察者にとって見やすい。この場合、眼底立体形状画像の解析装置を用いて縁Ｃの部分の高さを求めておき、縁Ｃの高さと被検眼の眼軸長に基づいて画像表示部３の位置を調整するような構成が考えられる。なお、眼底立体形状画像の解析装置においては、特開平１０−１５５７４４号公報を参考にされたい。
【００２４】
なお、本実施形態の表示装置において立体眼底像を表示する場合、上記示したように、左右一対のステレオ眼底画像の取得時における異なる左右の撮影光軸間の輻輳角、及び観察者によって立体視される眼底像の大きさを考慮するとともに、画像表示部３上に立体眼底像が見えるような構成にすることにより、観察者にとってより好ましい状態で立体眼底像を観察することができる。
【００２５】
また、観察者の瞳孔間距離によって立体眼底像に対する観察眼の輻輳角が変化するため、本実施形態においては、観察者の瞳孔間距離を考慮して輻輳角を調整するような構成となっている。この場合、観察の前段階で観察者の瞳孔間距離を入力できるようにし、入力された瞳孔間距離に基づいて、２孔絞り像３２‘と被検眼網膜との位置関係と、画像表示部３と観察眼との位置関係が相似な関係となるように画像表示部３の位置を調整するようにとすればよい。このようにすれば、観察者の瞳孔間距離に違いに関わらず、観察者に対して撮影時に近い状態で立体眼底画像を表示することができる。
【００２６】
また、本実施形態の画像表示部３においては、同一位置に左右の眼底画像を交互に表示するような構成としたが、右眼用と左眼用の眼底画像をそれぞれ水平方向にずらして表示するような構成であってもよい（図６参照）。この場合、撮影された被検眼の眼軸長に関係なく、観察時と同じ条件の立体眼底像を表示するためには、例えば、画像表示部３と観察眼との距離を固定させ、被検眼の眼軸長に応じて画像表示部３に表示される右眼用と左眼用の眼底画像の水平方向における距離を調整するようにすればよい。これにより、撮影時の輻輳角と観察時の輻輳角とを略一致させることができる。
【００２７】
なお、本実施形態において、画像表示部３によって表示される立体眼底像に対する輻輳角を調整するための構成として、画像表示部３を前後方向に移動させるような構成としたが、表示装置１の筐体に対して覗き窓２を前後方向に移動させるような構成としてもよい。
【００２８】
また、本実施形態においては、観察者に液晶シャッタメガネ５を装着させることにより、被検眼の眼前にシャッタ部５を配置するような構成としたが、開閉動作により画像表示部３に表示される眼底画像を左右の観察眼にて交互に見させるためのシャッタ部材が観察眼の左右の観察光路上に配置されていればよい。また、覗き窓２にシャッタ部材の機能を設けることで、覗き窓２にシャッタ部材の役割を兼用させるような構成としてもよい。
【００２９】
また、本実施形態においては、画像表示部３の構成を、前記液晶シャッタメガネ４の開閉動作と連動させた、いわゆる時分割方式を用いた立体表示方式としたが、これに限るものではなく、その表示方式がレンチキュラー方式やパララックスバリア方式であっても、本発明の適用は可能である。
【００３０】
また、本実施形態においては、表示装置１の筐体内を覗き込むような構成としたが、図７に示すようなディスプレイ３００を用いることにより、開放された状態で観察者に立体眼底像を見せるような構成としてもよい。この場合、ディスプレイ３００の表示画面から観察眼までの距離を測定する測距センサを設けておく。例えば、液晶シャッタメガネ５に超音波センサ４００を設け、この超音波センサ４００から発せられた超音波がディスプレイ３００の表示画面で反射して戻ってきたときの時間からディスプレイ３００の表示画面から観察眼までの距離を測定する（図７参照）。このようにして測定された測定結果は、ディスプレイ３００側に設けられた制御部２００へ無線により送信される。
【００３１】
このような構成において、撮影された被検眼の眼軸長の違いに関わらず、撮影時に近い状態の立体眼底画像を表示する場合には、まず、被検眼の眼軸長ごとにそれぞれディスプレイ３０の表示画面から観察眼までの適正距離を予め求めておく。
【００３２】
ここで、被検眼の立体眼底画像の表示を行う場合には、制御部２００は、被検眼の眼軸長に基づいて予め定められた適正距離を算出する（上述のように観察者の瞳孔間距離を考慮するようにしてもよい）。そして、制御部２００は、測距センサ（超音波センサ４００）によりディスプレイ３００の表示画面から観察眼までの距離が得られるので、これに基づいてディスプレイ３００の表示画面から観察眼までの距離が適正となるように観察者を誘導する情報をディスプレイ３００上に表示する。例えば、観察眼が適正距離よりも離れているような場合には、ディスプレイ３００に近づくよう旨の表示を行い、適正距離よりも近いような場合には、ディスプレイ３００に遠ざかる旨の表示を行い、適正な距離になったら、ＯＫサインを表示する。このような構成とすれば、複数の人で立体眼底画像を同時に観察できるため、複数人での観察や診断に有効である。
【００３３】
なお、本実施例においては、立体眼底画像表示時において、被検者の眼軸長を考慮した撮影データに基づいて配置構成を調節するような構成とすることにより、撮影時に近い状態を再現できるものとしたが、これらの配置構成を初期設定としておき、所定の入力操作により立体眼底画像の発生位置を調節できるようにしてもよい。例えば、本実施形態の場合には、立体眼底画像の発生位置を調節するためのスイッチを設けておき、観察者によるスイッチ操作により、画像表示部３の位置を調節できるようにするような構成が考えられる。このような構成とすれば、観察者の好みに応じた立体眼底画像を表示することができる。
【００３４】
なお、上記実施形態においては、同時立体眼底カメラ３０の撮影条件を再現するような構成としたが、これにかぎるものではなく、図２のような左右同時撮影光学系を持たない通常の眼底カメラにおいて、装置を左右に所定量移動させることにより、立体表示用の眼底画像を取得するような場合においても適用可能である。この場合、右眼用画像撮影時と左眼用画像撮影時における眼底カメラの水平方向の移動量を元に、瞳孔面上における撮影光学系に設けられた瞳孔共役絞りの像の位置変化を求めておく。そして、これらの撮影条件を表示装置１に入力し、このような撮影条件が再現できるような配置構成となるように
画像表示部３と観察者までの距離を調整するようにすれば、撮影時に近い状態の立体眼底像を表示することが可能となる。また、上記に示したような被検眼の眼軸長の違いを考慮した輻輳角の調整も適用可能である。
【００３５】
以上、一実施形態に基づいて本発明を説明したが、本発明はこれに限定されるものではない。例えば、表示装置１の各構成の処理を一つずつの過程ととらえた立体画像表示方法とみなすことや、各構成の処理を汎用的なコンピュータ言語で記述した立体画像表示プログラムとみなすことは可能である。これらの場合においても、表示装置１と同様の効果を得ることができる。
【図面の簡単な説明】
【００３６】
【図１】本実施形態に係る立体眼底画像表示装置を示す図である。
【図２】同時立体眼底カメラの撮像光学系の構成を示す概略光学図である。
【図３】（ａ）は、同時立体眼底カメラで所定の眼軸長を持つ被検眼を撮影したときの、瞳孔面上に形成された２孔絞りの像と被検眼網膜との位置関係を示す図であり、（ｂ）は、（ａ）で示した位置関係を表示装置で再現したときの配置構成を示す図である。
【図４】（ａ）は、図３（ａ）の被検眼よりも眼軸長の長い被検眼を同時立体カメラで撮影したときの２孔絞り像と被検眼網膜との位置関係を示す図であり、（ｂ）は、（ａ）で示した位置関係を表示装置で再現したときの配置構成を示す図である。
【図５】（ａ）は、図３（ａ）の被検眼よりも眼軸長の短い被検眼を同時立体カメラで撮影したときの２孔絞り像と被検眼網膜との位置関係を示す図であり、（ｂ）は、（ａ）で示した位置関係を表示装置で再現したときの配置構成を示す図である。
【図６】本実施形態の画像表示部において、右眼用と左眼用の眼底画像をそれぞれ水平方向にずらして表示するような構成を説明する図である。
【図７】開放された状態で観察者に立体眼底像を見せるような構成を説明する図である。
【符号の説明】
【００３７】
１  立体眼底画像表示装置
２  観察窓
３  画像表示部
４  液晶シャッタメガネ
５  シャッタ部
６  シャッタ駆動回路
９  駆動機構
２０  制御部
３０  同時立体眼底カメラ
３２  二孔絞り
３２‘  ２孔絞りの像
５０  眼軸長測定装置
２００  制御部
３００  ディスプレイ
４００  測距センサ
【図１】
2006271740.tif 000003
【図２】
2006271740.tif 000004
【図３】
2006271740.tif 000005
【図４】
2006271740.tif 000006
【図５】
2006271740.tif 000007
【図６】
2006271740.tif 000008
【図７】
2006271740.tif 000009